(57)【特許請求の範囲】
【請求項１】
電気機器本体に形成した本体側接続端子と、この電気機器本体に対して装脱可能な電源供給部材に形成した部材側接続端子と、を互いに接触させることにより、前記電気機器本体に電流を供給可能な電源供給部材の係止装置であって、前記電気機器本体には、案内部を形成し、この案内部に沿って前記電源供給部材を装填する方向において前記本体側接続端子および前記部材側接続端子が面接触可能に対向して設けられ、さらに、前記本体側接続端子および前記部材側接続端子は、ともに、前記電気機器本体または前記電源供給部材への固定部、弾性部、および面接触部を有する板バネから構成し、かつ、前記本体側接続端子および前記部材側接続端子の少なくともいずれか一方にスリットを形成するとともに、互いに面接触可能としたことを特徴とする電源供給部材の係止装置。
【発明の詳細な説明】
【０００１】
【発明の属する技術分野】
本発明は電源供給部材の係止装置にかかるもので、とくに携帯用のバーコードプリンターその他の電気機器に電圧を供給する、バッテリーあるいはＡＤコンバーターなど電源供給部材の係止装置に関するものである。
【０００２】
【従来の技術】
従来の電源供給部材の係止装置について、電源供給部材としてバッテリーを例に取って、すなわち、バッテリーの係止装置１について図５にもとづき概説する。
図５は、バッテリーの係止装置１の要部概略側面図であって、バッテリーの係止装置１は、任意の電気機器本体２に設けた本体側接続端子３と、バッテリー４に設けたバッテリー側接続端子５（部材側接続端子）と、を有する。
本体側接続端子３は、バネ性（弾性）を持った板バネなどの材料からこれを構成し、電気機器本体２にバッテリー４を装填したときに、その本体側接続端子３がバッテリー側接続端子５に所定圧力で当接するようになっている。
【０００３】
しかしながら、バッテリー側接続端子５は平坦な接触部を有しているだけであり、バッテリーの係止装置１としては、一対の接続端子（本体側接続端子３およびバッテリー側接続端子５）を線接触あるいは点接触させているだけのものである。
【０００４】
したがって、こうした構成のバッテリーの係止装置１においては、本体側接続端子３とバッテリー側接続端子５との間の接触部分に異物、ゴミ、錆などが付着した場合に、安定した通電を行うことが困難であるという問題がある。
また、電気機器本体２を携帯するような場合、携帯時の振動などによって本体側接続端子３およびバッテリー側接続端子５の接触部分が不規則に接離するチャタリングなどの問題も発生する可能性が大きい点も指摘される。
これらの諸問題は、バッテリー４の場合はもちろん電源供給部材としてＡＤコンバーター（図示せず）と電気機器本体２とを接続係止する場合にも生ずるものである。
【０００５】
【発明が解決しようとする課題】
本発明は以上のような諸問題にかんがみなされたもので、安定して各種の電気機器本体に通電することができる電源供給部材の係止装置を提供することを課題とする。
【０００６】
また本発明は、本体側接続端子と部材側接続端子との接触を確実にすることができる電源供給部材の係止装置を提供することを課題とする。
【０００７】
また本発明は、バッテリーあるいはＡＤコンバーターなどの電源供給部材をプリンター本体などの電気機器本体に装填したときに、本体側接続端子と部材側接続端子との間の接触部分を従来より広くした電源供給部材の係止装置を提供することを課題とする。
【０００８】
【課題を解決するための手段】
すなわち本発明は、本体側接続端子および部材側接続端子を互いに面接触させることに着目したもので、電気機器本体に形成した本体側接続端子と、この電気機器本体に対して装脱可能な電源供給部材に形成した部材側接続端子と、を互いに接触させることにより、前記電気機器本体に電流を供給可能な電源供給部材の係止装置であって、前記電気機器本体には、案内部を形成し、この案内部に沿って前記電源供給部材を装填する方向において前記本体側接続端子および前記部材側接続端子が面接触可能に対向して設けられ、さらに、前記本体側接続端子および前記部材側接続端子は、ともに、前記電気機器本体または前記電源供給部材への固定部、弾性部、および面接触部を有する板バネから構成し、かつ、前記本体側接続端子および前記部材側接続端子の少なくともいずれか一方にスリットを形成するとともに、互いに面接触可能としたことを特徴とする電源供給部材の係止装置である。
【００１１】
本発明による電源供給部材の係止装置においては、本体側接続端子および部材側接続端子を板バネにより形成するとともに互いに面接触させるようにしたので、従来の点接触あるいは線接触による電源供給部材の係止装置とは異なり、互いの弾性作用により広い面積に亘って接触状態を維持することが可能となり、電源供給部材からの通電作用が確実であるとともに、電気機器本体を携帯式とした場合であっても、本体側接続端子および部材側接続端子の接触状態が不用意に解除されるおそれが少なく、安定した接触状態を維持することができる。
【００１２】
しかも、電源供給部材を電気機器本体に装脱するたびに本体側接続端子および部材側接続端子がその接触部分を互いにクリーニングするので、常に接触部分を清浄に保ち、通電作用を良好に維持することができる。
【００１３】
【発明の実施の形態】
つぎに本発明の実施の形態による電源供給部材の係止装置を、電源供給部材としてバッテリー４を例に取って説明する。より具体的には、バッテリーの係止装置を装備したプリンター１０を図１ないし図４にもとづき説明する。ただし、図５と同様の部分には同一符号を付し、その詳述はこれを省略する。
図１は、プリンター１０の側面図、図２は、プリンター１０の底面側から見た、バッテリーの係止装置１１の要部分解斜視図であって、プリンター１０は、プリンター本体１２（電気機器本体）と、バッテリーの係止装置１１と、を有する。
【００１４】
プリンター本体１２は、バーコードプリンターその他任意の機構を有し、たとえばハンドル１３によりこれを携帯可能としてある。
バッテリーの係止装置１１は、前記バッテリー４（電源供給部材）と、プリンター本体１２とを係止接続する。
【００１５】
とくに図２に示すように、プリンター本体１２の底面には、バッテリー４のバッテリーケース１４を収容可能な収容部１５と、案内部１６と、係止部１７と、固定部１８と、を形成してある。
【００１６】
収容部１５は、バッテリーケース１４を収容してバッテリー４をプリンター１０に装填する部位である。
案内部１６は、収容部１５の左右に起立形成した案内壁面１９と、この案内壁面１９の内側に形成した複数個の案内突起２０と、を有する。
係止部１７は、板バネにより形成した３個の本体側接続端子２１を、収容部１５の最奥部に有する。
固定部１８は、ガイド用傾斜面２２および固定用穴部２３を有する。
【００１７】
バッテリーケース１４は、案内部１６の案内突起２０に対向している装脱方向における左右一対の案内溝２４と、係止部１７の本体側接続端子２１に対向しているバッテリー側接続端子２５（部材側接続端子）と、固定部１８の固定用穴部２３に係合する固定用突起部２６およびその操作部２７と、を設けてある。
【００１８】
なお、電源供給部材としてバッテリー４の代わりに、ＡＤコンバーターなどをプリンター本体１２の底面に接続係止する場合には、図２中仮想線に示すように、操作部２７側にＡＣケーブル接続口２８および電源出力用接続口２９などを設ける。
【００１９】
図３は、本体側接続端子２１およびバッテリー側接続端子２５の対向状態の斜視図であって、本体側接続端子２１は、プリンター本体１２への固定部２１Ａと、弾性部２１Ｂと、面接触部２１Ｃと、を有する。
同様にして、バッテリー側接続端子２５は、バッテリーケース１４への固定部２５Ａと、弾性部２５Ｂと、面接触部２５Ｃと、を有する。
面接触部２５Ｃにはスリット２５Ｄを形成することによって、さらにその弾性変形を容易としている。なおスリットは、本体側接続端子２１に形成してもよい。
【００２０】
こうした構成のプリンター１０およびバッテリーの係止装置１１において、バッテリー４をプリンター本体１２に装填する際に、バッテリーケース１４の案内溝２４をプリンター本体１２側における案内部１６の案内突起２０に係合した状態でバッテリー４を本体側接続端子２１の方向に押し込むと、本体側接続端子２１とバッテリー側接続端子２５とが弾性的に面接触するとともに、固定用突起部２６が固定部１８の固定用穴部２３に係合してバッテリー４が収容部１５内に収容固定される。
【００２１】
逆にプリンター本体１２からバッテリー４を取り外すときには、操作部２７を操作して固定用突起部２６と固定用穴部２３との係合を解除した状態でバッテリー４を収容部１５から引き抜けばよい。
【００２２】
図４は、上述のバッテリー４装填時における本体側接続端子２１とバッテリー側接続端子２５との接触変形状態を示す要部側面図であって、面接触部２１Ｃと面接触部２５Ｃとが互いに対向状態にあって、バッテリー４の係止部１７方向への押し込みにより、面接触部２５Ｃが面接触部２１Ｃの下側からその押し込み方向において所定の長さおよび面積に亘って面接触することになるとともに、弾性部２１Ｂおよび弾性部２５Ｂの弾性作用により、所定の圧力で接触状態を維持可能である。
【００２３】
かくして、本体側接続端子２１とバッテリー側接続端子２５との面接触状態の維持を確実にすることができるので、図５に示したような線接触あるいは点接触状態とは異なり、バッテリー４からプリンター本体１２への通電状態を確実に維持することができる。
【００２４】
なおバッテリー側接続端子２５にスリット２５Ｄを形成してあるので、本体側接続端子２１あるいはバッテリー側接続端子２５のいずれかが変形してしまっても、互いの接触時に追従性を維持しておくことが可能である。
【００２５】
さらに、バッテリー４をプリンター本体１２の収容部１５に装填する場合に、本体側接続端子２１およびバッテリー側接続端子２５が完全に係止状態となるまで必要な押し込みストロークを持って装填することになるので、本体側接続端子２１およびバッテリー側接続端子２５の接触部分である面接触部２１Ｃおよび面接触部２５Ｃの表面を互いにクリーニングする作用があり、それぞれの表面を清浄に保つことができるとともに、プリンター１０が携帯式であっても、振動に対して耐久性を保持し、チャタリングの防止対策にもなる。
【００２６】
【発明の効果】
以上のように本発明によれば、プリンター本体などにおける本体側接続端子およびバッテリーやＡＤコンバーターなどにおける部材側接続端子をともに板バネから構成して面接触を可能としたので、安定した通電状態を維持することができる。
【図面の簡単な説明】
【図１】本発明の実施の形態によるバッテリーの係止装置１１（電源供給部材の係止装置）を装備したプリンター１０の側面図である。
【図２】同、プリンター１０の底面側から見た、バッテリーの係止装置１１の要部分解斜視図である。
【図３】同、本体側接続端子２１およびバッテリー側接続端子２５の対向状態の斜視図である。
【図４】同、バッテリー４装填時における本体側接続端子２１とバッテリー側接続端子２５との接触変形状態を示す要部側面図である。
【図５】従来のバッテリーの係止装置１の要部概略側面図である。
【符号の説明】
１  バッテリーの係止装置（電源供給部材の係止装置）（図５）
２  電気機器本体
３  本体側接続端子
４  バッテリー（電源供給部材）
５  バッテリー側接続端子（部材側接続端子）
１０  プリンター（図１）
１１  バッテリーの係止装置（電源供給部材の係止装置）（実施の形態、図２、図３）
１２  プリンター本体（電気機器本体）
１３  ハンドル
１４  バッテリーケース
１５  バッテリー４の収容部
１６  バッテリー４の案内部
１７  バッテリー４の係止部
１８  バッテリー４の固定部
１９  案内壁面
２０  案内突起
２１  本体側接続端子
２１Ａ  本体側接続端子２１の固定部
２１Ｂ  本体側接続端子２１の弾性部
２１Ｃ  本体側接続端子２１の面接触部
２２  ガイド用傾斜面
２３  固定用穴部
２４  案内溝
２５  バッテリー側接続端子（部材側接続端子）
２５Ａ  バッテリー側接続端子２５の固定部
２５Ｂ  バッテリー側接続端子２５の弾性部
２５Ｃ  バッテリー側接続端子２５の面接触部
２５Ｄ  バッテリー側接続端子２５のスリット
２６  固定用突起部
２７  操作部
２８  ＡＣケーブル接続口
２９  電源出力用接続口
【図１】
0003916182.tif 000002
【図２】
0003916182.tif 000003
【図３】
0003916182.tif 000004
【図４】
0003916182.tif 000005
【図５】
0003916182.tif 000006